(57)【特許請求の範囲】
【請求項１】
血液をスライドガラスに塗抹することにより作成した血液標本を順次、撮像部で撮像して、血液標本を自動検査するとともに、撮像した血液標本における血液細胞をモニタに画像表示する検査装置において、
撮像した血液標本の自動検査結果を記憶しておき、モニタに、自動検査済みの血液標本の自動検査結果を表示する検査結果表示部と、各血液標本の検査進行経過を表示する検査進行経過表示部と、自動検査中の血液標本における血液細胞画像を表示する細胞画像情報表示部とを有する画面を表示することを特徴とする検査装置。
【請求項２】
前記撮像部は、複数の血液標本を収納したカセットから搬送された前記血液標本を順次撮像し、前記検査進行経過表示部は、カセットの番号を行列の一方に、各カセットの血液標本番号を行列の他方にとったマトリクスを表示するものである請求項１記載の検査装置。
【請求項３】
前記検査進行経過表示部に、前記マトリクスを、その任意の点を指定することにより血液標本を指定できるよう表示し、血液標本が指定されるとその血液標本に係る設定を変更し得るようにした請求項２記載の検査装置。
【請求項４】
前記検査進行経過表示部は、経過情報を処理状況に応じ、色、数値、形状、又は記号で区別して表示するものである請求項２又は請求項３記載の検査装置。
【請求項５】
前記検査進行経過表示部は、各血液標本が未処理のものであるか、自動分類中のものであるか、自動分類完了したものであるか、レビュー中のものであるか、又はレビュー完了したものであるか、を表示するものである請求項１〜４のいずれか１項に記載の検査装置。
【請求項６】
前記細胞画像情報表示部は、細胞のカウント予定数と現在のカウント数を表示する請求項１記載の検査装置。
【請求項７】
前記検査結果表示部は、その自動検査結果として、血液標本毎の細胞の分類結果を表示するものである請求項１記載の検査装置。
【発明の詳細な説明】
【０００１】
【発明の属する技術分野】
この発明は、血液標本等の検査装置に関する。
【０００２】
【従来の技術】
従来、血液標本の検査装置としては、カセットに収納した複数の検体を自動的に撮像部に搬送し、撮像部に１個ずつ検体を装着して検体を撮像し、末梢血の白血球の分類、赤血球の形態分析、血小板の計数及び網状赤血球の計数を行う血液細胞自動分析装置がある。この血液細胞自動分析装置は、検査結果をプリンタに自動印字し、フロッピディスクに記録し、ホストＣＰＵに伝送できる。また、予定のカセット数のどの検体（標本）まで処理が進行したか、検査処理進行経過を検査中画像とは別の画面に表示している。また、検体をまとめて収納するカセットの処理状態と検体処理状態は別画面であり、キー操作で切替表示している。
【０００３】
【発明が解決しようとする課題】
上記した従来の血液標本の検査装置では、過去の処理結果がプリンタ用紙、フロッピディスク又は伝送されたホストＣＰＵにしか記載されていず、また現在までの進行経過を調べるには、キーを押して別画面に切替える必要があり、さらにカセット処理状態と検体処理状態を一度にまとめて、つまり関連付けて見ることができないため、検査中一目で過去の処理結果、現在までの進行経過を調べることが困難であるという問題があった。
【０００４】
この発明は上記問題点に着目してなされたものであって、検査中一目で過去の処理結果、現在までの進行経過を知り得る検査装置を提供することを目的としている。
【０００５】
【課題を解決するための手段】
この出願の特許請求の範囲の請求項１に係る検査装置は、血液をスライドガラスに塗抹することにより作成した血液標本を順次、撮像部で撮像して、血液標本を自動検査するとともに、撮像した血液標本における血液細胞をモニタに画像表示する検査装置において、撮像した血液標本の自動検査結果を記憶しておき、モニタに、自動検査済みの血液標本の自動検査結果を表示する検査結果表示部と、各血液標本の検査進行経過を表示する検査進行経過表示部と、自動検査中の血液標本における血液細胞画像を表示する細胞画像情報表示部とを有する画面を表示する。
【０００６】
この検査装置では、ある血液標本の自動検査中に、その血液標本の画像情報と、予め処理予定の数の血液標本の検査進行経過と、それまでの自動検査結果が１つの画面に、同時に表示される。
また、請求項２に係る検査装置は、請求項１に係るものにおいて、前記撮像部は、複数の血液標本を収納したカセットから搬送された前記血液標本を順次撮像し、前記検査進行経過表示部は、カセットの番号を行列の一方に、各カセットの血液標本番号を行列の他方にとったマトリクスを表示するものである。血液標本の検査進行経過をマトリクス表示するものであるから、各血液標本の処理状況を一目で確認できる。
【０００７】
また、請求項３に係る検査装置は、請求項２に係るものにおいて、前記検査進行経過表示部に、前記マトリクスを、その任意の点を指定することにより血液標本を指定できるよう表示し、血液標本が指定されるとその血液標本に係る設定を変更し得るようにしたものである。任意の血液標本を指定することにより、その血液標本に関する設定条件が表示され、例えばカウント数、血液標本の塗抹方法等を変更できる。
【０００８】
また、請求項４に係る検査装置は、請求項２又は請求項３に係るものにおいて、前記検査進行経過表示部は、経過情報を処理状況に応じ、色、数値、形状、又は記号で区別して表示する。区別されているので、処理状況の別が一目で分かる。
また、請求項５に係る検査装置は、請求項１〜４のいずれかに係るものにおいて、前記検査進行経過表示部は、各血液標本が未処理のものであるか、自動分類中のものであるか、自動分類完了したものであるか、レビュー中のものであるか、又はレビュー完了したものであるか、を表示する。
【０００９】
また、請求項６に係る検査装置は、請求項１に係るものにおいて、前記細胞画像情報表示部は、細胞のカウント予定数と現在のカウント数を表示するものである。この検査装置では、例えば、ある細胞のカウント予定数を１００と予定している場合で、現在カウント数が６５であれば、予定数を８０に変更できる。しかし、すでに６５をカウントしていて、設定を５０に変更することはできない。
また、請求項７に係る検査装置は、請求項１に係るものにおいて、前記検査結果表示部は、その自動検査結果として、血液標本毎の細胞の分類結果を表示するものである。この検査装置では、自動検査結果の中から、任意の血液標本を指定すると、その血液標本の一連の細胞画像が表示され、オペレータは目視により、再検査できる。
【００１０】
【発明の実施の形態】
以下、実施の形態により、この発明をさらに詳細に説明する。図１は、この発明の一実施形態白血球自動分類装置の構成を示すブロック図である。この実施形態白血球自動分類装置は、自動顕微鏡制御部１と、血球分類の画像処理部２と、外付装置３とから構成されている。外付装置３は、モニタ、キーボード、マウス、専用キーボード、プリンタ等である。一括レビュー用の画像表示部４は、レビュー専用のコンピュータであり、可搬メディア２５を装着することにより、モニタと同様に各画像を再現できる。
【００１１】
自動顕微鏡制御部１は、検体を撮像するカメラ１１、カメラ１１のレンズを上下させるステージＺ１２、検体を保持して前後、左右に動かすステージＸ、Ｙ１３を含む光学系１０と、メカ制御を行うＭＣ部１４と、カメラ１１を制御するＭＳ部１５と、カセット搬送部１６と、ＭＣ部電源１７と、ランプ電源１８と、カメラ電源１９とを備えている。
【００１２】
画像処理部２は、画像の特徴抽出・処理部であるＦＥ部２１と、ＦＥ部電源２２と、システム制御用のコンピュータであるＰＣ部２３と、ＰＣ部電源２４と、可搬メディア２５と、全体の電源部２６とを備えている。
この白血球自動分類装置において、システムへの入力は、検査対象（サンプル）つまり検体として血液を塗抹したスライドガラス（検体）を専用カセットにセットしたものをシステムにセットする。専用カセットには、番号１〜１５（１５個）が付けられており、センサによりその番号（カセット番号という）が読み取られ、記憶される。また、１個の専用カセット内のスライド収納部には、番号１〜２０が付けられており、この番号はカセットのスライド収納部の棚の位置に対応している（スライド番号という）。
【００１３】
検査の開始に際し、検査の指示を行う。この検査の指示には、カセット毎の検査条件の設定、スライド毎の検査条件の設定、システムの検査条件の設定、及び検査開始の指示がある。それぞれの指示は、フルキーボード、マウス、専用キーボード、ホストＣＰＵからの伝送によってシステムに入力される。また、システムの自動分類後、その分類結果をもとにオペレータが再検（レビュー）を行い、指定した細胞の細胞種をシステムに入力する。入力方法は、マウス又は専用キーボードを使用する。このレビューについては、後に詳述する。
【００１４】
この白血球自動分類装置において、システムからの出力は、先ず中間分類データがある。システムの自動分類の結果データ、すなわちスライド毎に、自動分類された白血球細胞の画像と、自動分類結果、赤血球の画像及び集計結果を画面に出力する。オペレータは、この結果をもとに再検（レビュー）を行う。最終分類データとしては、オペレータがレビューを行った後の分類の結果データ、具体的には血球種毎の分類結果、オペレータのコメントなどが出力される。
【００１５】
図２は、実施形態白血球自動分類装置の「カウント」動作時の表示画面を示している。この表示画面には、カセット／スライド情報表示部３１と、カウント細胞画像表示部３２と、カウントログ表示部３３と、さらにスライド動作入力選択表示部３４と、カセット動作入力選択表示部３５が配置されている。
カセット／スライド情報表示部３１は、マトリクス表示部３１ａと処理状況色表示部３１ｂからなる。マトリクス表示部３１ａは縦に１〜１５のカセット番号、横に１〜２０のスライド番号をとり、全スライドの処理状態を色で表示する。色は処理状態の未処理、スライド無し、カウント中、レビュー中、処理済、カウント終了、エラーに対応し、処理状況色表示部３１ｂの各状況の色表示、マトリクス表示部３１ａの各スライド表示は、図３に示す色でなされる。
【００１６】
カウント細胞画像表示部３２には、カウント中の情報及び分類した細胞画像を表示する。具体的には、細胞画像の他に１から１５までのカセット番号と、１から２０までのスライド番号と、カウント中のサンプルのＰＩＤと、カウント数、つまりカウント中のＷＢＣ数と設定ＷＢＣ数を表示する。
カウントログ表示部３３には、カウントを完了したスライドのカウントログを表示する。設定した正常値範囲から逸脱した場合は、ＰＩＤ及びその血球種類の項目の右に“・”を表示する。
【００１７】
削除（ボタン）３６は、選択したログデータを削除する。システムがレディ状態の時有効で、選択すると、実行して良いか否かを問うメッセージボックスが表示されるので、「はい」を選択すると、表示中メッセージボックスが消去、選択したログデータを削除する。「いいえ」を選択すると、表示中メッセージが消え、元の表示に戻る。また、印刷（ボタン）３７を押すと、カウントログデータをプリンタで印刷出力する。
【００１８】
スライド動作の選択ボタン表示部３４のカウント（ボタン）は、カウント動作を開始するボタンであり、このボタンが押されると自動的にカセットをロードして、そのカセット内のスライドのカウント動作を開始する。カウント動作中は、このボタンの操作は禁止される（グレー表示）。
ポーズ（ボタン）は、カウント動作を一時停止するボタンであり、このボタンが押されると、現在のカウント動作を一時停止する。その後、もう一度ポーズボタンを押すと、中断したところからカウント動作を開始する。カウント動作中以外は、このボタンは禁止される（グレー表示）。
【００１９】
ストップ（ボタン）はカウント動作を停止するボタンである。このボタンが押されると、現在のメカ動作やカウント動作を停止する。その後、行いたい動作にしたがって必要なボタンを押す。カウントボタンを押すと、中断したところからカウント動作を再開する。再カウントボタンを押すと、今までのカウント結果をリセットしてカウントをやり直す。次サンプルを押すと、現在のスライドのカウント動作をキャンセルして、次のサンプルのカウント動作を開始する。次カセットを押すと、現在のカセットのカウント動作をキャンセルして、次のカセットのカウント動作を開始する。取り出しを押すと、現在のカセットのカウント動作をキャンセルして、カセットの取り出し動作を行い、システムをレディ状態にする。システムがレディ状態（メカが動作していない状態）では、このボタンは禁止される（グレー表示）。
【００２０】
再カウント（ボタン）は、カウント動作をやり直すボタンであり、スライドがロードされていて、ストップ状態の時に、このボタンが押されると、今までのカウント結果をリセットしてカウントをやり直す。スライドがロードされていて、ストップ状態の時以外は、このボタンは禁止される（グレー表示）。
次サンプル（ボタン）は、次のスライドをロードするボタンであり、スライドがロードされていて、ストップ状態の時に、このボタンが押されると、現在のスライドのカウント動作をキャンセルして、次のサンプルのカウント動作を開始する。スライドがロードされていて、ストップ状態の時以外は、このボタンは禁止される（グレー表示）。
【００２１】
カセット動作入力選択表示部３５は、カセットの動作を操作するボタン表示であり、次カセット（ボタン）は、次のカセットをロードするボタンであり、ストップ状態の時に、このボタンが押されると、現在のカセットのカウント動作がキャンセルして、次のカセットのカウント動作を開始する。ストップ状態の時以外は、このボタンは禁止される（グレー表示）（但し、次カセットがない場合は、その旨メッセージを表示する）。
【００２２】
取り出し（ボタン）は、現在のカセットを取り出すボタンであり、このボタンが押されると、現在のカセットのカウント動作をキャンセルして、カセットの取り出し動作を行い、システムをレディ状態にする。但し、カセット位置２に別のカセットがあると、この操作を行うと、そのカセットがエレベータにロードされる（そのカセットのスライドのカウント動作は自動的に開始しない）。その場合、もう一度取り出しを押すと、そのカセットが取り出される（又は、カウントボタンで、そのカセットのカウント動作を開始する）。
【００２３】
図２の画面は、上述したようにカラー画面であるが、ここでは白黒のみであり、色の識別ができないが、カセット／スライド情報表示部３１では、各スライド毎に、図４に示す処理状況表示がなされている。なお、図中、Ｂａｎｄ，Ｓｅｇ，…，Ｅｂｌは、白血球の自動分類名を示している。
また、上記実施形態白血球自動分類装置で、マトリクス表示部３１ａのいずれかの検体が指定入力されると、図５に示すフロー図の如く、処理が進行する。すなわち、検体指定の操作がなされると、ステップＳＴ（以下、ＳＴと略す）１の“入力有りか”の判定がＹＥＳであり、次にその検体の処理状況が未処理か、が判定される（ＳＴ２）。処理状況が“未処理”であると、処理のための検査条件を表示し（ＳＴ３）、条件変更か、判定し（ＳＴ４）、変更なしであれば、何もせずリターンし、条件変更有の場合は、変更部を再設定して（ＳＴ５）、リターンする。
【００２４】
指定の検体の処理状況が“スライド無し”である場合には、ＳＴ６のスライド無しか、の判定ＹＥＳであり、スライド未検出か（ＳＴ７）の判定がＹＥＳの場合はリターンし、ＳＴ７のスライド未検出か、の判定がＮＯの場合で、処理するように変更（ＳＴ８）の場合は、処理するように検査条件を設定して（ＳＴ９）、リターンする。
【００２５】
今回、指定された検体の処理状況が“レビュー中”である場合は、ＳＴ１０の判定がＹＥＳとなり、レビュー画面（図７参照）に移行する（ＳＴ１１）。
検休の処理が“処理済”であると、ＳＴ１２の処理済か、の判定がＹＥＳとなり、最終分類画面に移行する（ＳＴ１３）。また、処理状況が“カウント終了”の場合は、ＳＴ１４のカウント終了か、の判定がＹＥＳとなり、カウントログ表示を行い（ＳＴ１５）、リターンする。また、処理状況が“エラー”である場合は、ＳＴ１６の“エラーか”の判定がＹＥＳとなり、そのエラー内容が表示される（ＳＴ１７）。
【００２６】
また、最終分類の表示画面は、図６に例示するもの（画像は赤血球）となるが、ここで再レビューボタンを押すと、図７に示すように、レビュー画面が表示される。
【００２７】
【発明の効果】
この発明によれば、撮像した血液標本の検査結果を記憶しておき、各血液標本の検査進行経過を表示する検査進行経過表示部と、検査中の血液標本における血液細胞画像を表示する細胞画像情報表示部と、検査結果を表示する検査結果表示部とを有する画面をモニタに表示するので、検査中であっても、
（１）過去の処理結果・現在までの進行経過が一目でわかる。
【００２８】
（２）進行経過や検査結果より、血液標本を指定することで、再検査・検査情報の変更ができる。
という効果が得られる。
【図面の簡単な説明】
【図１】この発明の一実施形態白血球自動分類装置の構成を示すブロック図である。
【図２】同実施形態白血球自動分類装置のカウント時の表示画面例を示す図である。
【図３】同表示画面の処理状況に対応した表示の色を示す図である。
【図４】同表示画面のカセット／スライド表示部のスライド毎の処理状況の一例を示す図である。
【図５】上記実施形態白血球自動分類装置における処理状況に応じた処理を説明するためのフロー図である。
【図６】同実施形態白血球自動分類装置の最終分類表示の画面例を示す図である。
【図７】同実施形態白血球自動分類装置の再レビュー時の表示画面例を示す図である。
【符号の説明】
３１      カセット／スライド情報表示部
３１ａ    マトリクス表示部
３１ｂ    処理状況色表示部
３２      細胞画像表示部
３３      カウントログ表示部
【図１】
0003981445.tif 000002
【図２】
0003981445.tif 000003
【図３】
0003981445.tif 000004
【図４】
0003981445.tif 000005
【図５】
0003981445.tif 000006
【図６】
0003981445.tif 000007
【図７】
0003981445.tif 000008